(57)【要約】【課題】雑誌等を集めるリサイクルボックスから紙類を一度も出さずに縦横に結束できる紙類収集ボックスを提供しようとするものである。【解決手段】紙類収集ボックスは、左右一対の側板２１、２１と、開口部２３を有する後方板２２と、側板２１と後方板２２に垂直で、側板２１と後方板２２に囲まれていて、後方板２２の垂直方向に向かう中央にある貫通している開口部２３を有する紙置き板２４と、紙置き板２４の前端面と接続しているフォーク状の支持体２５とを有するＡコンテナ２と、左右一対の側板と、後方板とからなるＢコンテナを備え、Ａコンテナ２の側板２１の前端面２１ａと、Ｂコンテナの側板の前端面とが合わさる。【選択図】図２
2019151483.tif 000002
【特許請求の範囲】
【請求項１】
左右一対の側板と、開口部を有する後方板と、該側板と該後方板に垂直で、該側板と該後方板に囲まれていて、該後方板の垂直方向に向かう中央にある貫通している開口部を有する紙置き板と、該紙置き板の前端面と接続しているフォーク状の支持体とを有するＡコンテナと、
左右一対の側板と、後方板とからなるＢコンテナを備え、
前記Ａコンテナの前記側板の前端面と、前記Ｂコンテナの前記側板の前端面とが合わさることを特徴とする紙類収集ボックス。
【請求項２】
前記Ｂコンテナは前記側板と前記後方板に垂直で、該側板と該後方板に囲まれていて、前記支持体を挿し込むことのできるＢコンテナ紙置き板とを有し、
前記Ａコンテナの該支持体と、該Ｂコンテナ紙置き板とが挿着する請求項１に記載の紙類収集ボックス。
【請求項３】
前記Ａコンテナの紙置き板より下方に前記側板下部の前端面に接続する、側板にまっすぐに延びる支持板を有し、
前記Ｂコンテナに前記支持板が挿し込まれる挿着凹部を有する請求項１又は２に記載の紙類収集ボックス。
【請求項４】
前記紙類収集ボックス全体が前記Ａコンテナ側に傾いており、
前記Ａコンテナの、該側板と、該後方板と、該紙置き板と、該フォーク状の支持体とが、該後方板方向に同角度傾いていて、
前記Ｂコンテナの、該側板と、該後方板と、該紙置き板とが、該Ａコンテナ方向に該Ａコンテナと同角度傾いている請求項１又は２に記載の紙類収集ボックス。
【請求項５】
前記Ｂコンテナの該後方板に開口部を有する請求項１乃至４のいずれかに記載の紙類収集ボックス。
【請求項６】
前記Ａコンテナと前記Ｂコンテナとを、固定するための止め具を有する請求項１乃至５のいずれかに記載の紙類収集ボックス。
【発明の詳細な説明】
【技術分野】
【０００１】  この発明は、紙類をストッカや段ボール箱から取り出さなくても結束作業が出来る補助具に関するものである。
【背景技術】
【０００２】  現在、私たちは環境への配慮として分別収集を行っている。紙類においては、新聞や雑誌、広告などを一時的にストッカや段ボール箱に保管し、ある程度たまった所で、ストッカや段ボール箱から紙類を取り出して結束作業を行うという課題があった。
【先行技術文献】
【特許文献】
【０００３】
【特許文献１】特開２０１１−１１９３号公報
【発明の概要】
【発明が解決しようとする課題】
【０００４】  前記特許文献１に記載されたゴミ収集箱は広いスペースが必要となるとともに、横方向にしか結束が出来ないという課題があった。【０００５】  雑誌等を集めるリサイクルボックスから紙類を一度も出さずに縦横に結束できる紙類収集ボックスを提供しようとするものである。
【課題を解決するための手段】
【０００６】  請求項１の紙類収集ボックスは、左右一対の側板と、開口部を有する後方板と、該側板と該後方板に垂直で、該側板と該後方板に囲まれていて、該後方板の垂直方向に向かう中央にある貫通している開口部を有する紙置き板と、該紙置き板の前端面と接続しているフォーク状の支持体とを有するＡコンテナと、
左右一対の側板と、後方板とからなるＢコンテナを備え、
前記Ａコンテナの前記側板の前端面と、前記Ｂコンテナの前記側板の前端面とが合わさることを特徴とする紙類収集ボックスである。
また、請求項２の紙類収集ボックスは請求項１において、前記Ｂコンテナは前記側板と前記後方板に垂直で、該側板と該後方板に囲まれていて、前記支持体を挿し込むことのできるＢコンテナ紙置き板とを有し、
前記Ａコンテナの該支持体と、該Ｂコンテナ紙置き板とが挿着することである。
請求項３の紙類収集ボックスは、請求項１又は２において、前記Ａコンテナの紙置き板より下方に前記側板下部の前端面に接続する、側板にまっすぐに延びる支持板を有し、前記Ｂコンテナに前記支持板が挿し込まれる挿着凹部を有することである。
請求項４の紙類収集ボックスは、請求項１又は２において、前記Ａコンテナの、該側板と、該後方板と、該紙置き板と、該フォーク状の支持体とが、該後方板方向に同角度傾いていて、
前記Ｂコンテナの、該側板と、該後方板と、該紙置き板とが、該Ａコンテナ方向に該Ａコンテナと同角度傾いている請求項１又は２に記載の紙類収集ボックスである。
請求項５の紙類収集ボックスは、請求項１乃至４のうちのいずれか１項において、前記Ｂコンテナの該後方板に開口部を有することである。
請求項６の紙類収集ボックスは、請求項１乃至５のうちのいずれか１項において、前記Ａコンテナと前記Ｂコンテナとを、固定するための止め具を有することである。
【発明の効果】
【０００７】  請求項１の紙類収集ボックスは、雑誌等を集めるリサイクルボックスから紙類を一度も出さずに縦横に結束できる紙類収集ボックスである。
請求項２の紙類収集ボックスは、前記支持体と前記紙置き板があることによって、紙類が安定してボックスに溜めることが出来る。
請求項３の紙類収集ボックスは、前記Ａコンテナの前記紙置き板より下方に前記側板に支持板を接続することによって、倒れないようになる。
請求項４の紙類収集ボックスは、前記Ａコンテナと前記Ｂコンテナが同角度に傾いていることによって、重心が下方向になることによって、紙類がずり落ちなくなる。
請求項５の紙類収集ボックスは、前記Ｂコンテナの前記後方板に開口部があることによって、持ち運びが楽になる。
請求項６の紙類収集ボックスは、前記Ａコンテナと前記Ｂコンテナとを、固定することによって、持ち運ぶときなどにずれないようになる。
【図面の簡単な説明】
【０００８】
【図１】本発明の実施例１の紙類収集ボックスの斜視図である。
【図２】本発明の実施例１の紙類収集ボックスのＡコンテナの斜視図である。
【図３】本発明の実施例１の紙類収集ボックスのＢコンテナの斜視図である。
【図４】本発明の実施例２の紙類収集ボックスの斜視図である。
【図５】本発明の実施例３の紙類収集ボックスの斜視図である。
【図６】本発明の実施例２の紙類収集ボックスのＡコンテナの斜視図である。
【図７】本発明の実施例２の紙類収集ボックスのＢコンテナの斜視図である。
【図８】本発明の実施例３の紙類収集ボックスのＡコンテナの斜視図である。
【図９】実施例１の紙類収集ボックスは古新聞紙を結束する状態を示す図である。
【図１０】実施例１の結束補助具を用いて古新聞紙を結束する状態を示す図である。
【図１１】実施例１の結束補助具を用いて古新聞紙を結束する状態を示す図である。
【図１２】実施例１の結束補助具を用いて古新聞紙を結束する状態を示す図である。
【図１３】実施例１の結束補助具を用いて古新聞紙を結束する状態を示す図である。
【図１４】実施例１の結束補助具を用いて古新聞紙を結束する状態を示す図である。
【発明を実施するための形態】
【０００９】  以下、本発明の実施形態の紙類収集ボックスについて、添付図面に基づいて説明する。
【実施例１】
【００１０】  紙類収集ボックス１は、図１に示すように新聞紙、雑誌、チラシ等をリサイクルボックスから一度も出さずに結束するための紙類収集ボックスであって、
図２に示すように、左右一対の側板２１、２１と、開口部２３を有する後方板２２と、側板２１と後方板２２に垂直で、側板２１と後方板２２に囲まれていて、後方板２２の垂直方向に向かう中央にある貫通している開口部２３を有する紙置き板２４と、紙置き板２４の前端面と接続しているフォーク状の支持体２５とを有するＡコンテナ２と、
図３に示すように、左右一対の側板３１，３１と、後方板３２とからなるＢコンテナ３を備え、
Ａコンテナ２の側板２１の前端面２１ａと、Ｂコンテナ３の側板３１の前端面３１ａとが合わさる。
Ｂコンテナ３は側板３１と後方板３２に垂直で、側板３１と後方板３２に囲まれていて、支持体２５を挿し込むことのできるＢコンテナ紙置き板３４とを有し、
Ａコンテナ２の支持体２５と、Ｂコンテナ紙置き板３４とが挿着する。
Ａコンテナ２の、側板２１と、後方板２２と、紙置き板２４と、フォーク状の支持体２５とが、紙類収集ボックス１全体がＡコンテナ２側に傾いており、
後方板２２方向に同角度傾いていて、Ｂコンテナ３の、側板３１と、開口部３３を有する後方板３２と、紙置き板３４とが、Ａコンテナ２方向にＡコンテナ２と同角度傾いている。
本実施例では、すきまなく装着されるが、すきまがあってもよい。
本実施例では、開口部３３を有しているが、開口部はなくてもよい。
本実施例では、底板２６を有しているがなくてもよい。
本実施例では、ＡコンテナとＢコンテナとを固定するための止め具を有していないが、有していてもよい。
【実施例２】
【００１１】  図４に示すように、紙類収集ボックス５Ａは、新聞紙、雑誌、チラシ等をリサイクルボックスから一度も出さずに結束するための紙類収集ボックスであって、
図６に示すように、左右一対の側板６１、６１と、開口部６３を有する後方板６２と、側板６１と後方板６２に垂直で、側板６１と後方板６２に囲まれていて、後方板６２の垂直方向に向かう中央にある貫通している開口部６３を有する紙置き板６４と、紙置き板６４の前端面６１ａと接続しているフォーク状の支持体６５とを有するＡコンテナ６と、
図７に示すように、左右一対の側板７１、７１と、後方板７２とからなるＢコンテナ７を備え、
Ａコンテナ６の側板６１の前端面６１ａと、Ｂコンテナ７の側板７１の前端面７１ａとが合わさる。
支持体６５は板状である。板状とすることで紙が安定する。
Ａコンテナ６の紙置き板６４より下方に側板６１下部の前端面６１ａに接続する、側板６１にまっすぐに延びる支持板６７を有し、
Ｂコンテナ７に支持板６７が挿し込まれる挿着凹部７７を有する。
本実施例では、紙置き板６４に対して支持体６５が反り上がっている。こうすることでＡコンテナ６とＢコンテナ７とを分離したとき、紙がずり落ちにくいい。反り上がっていることが好ましいが反り上がっていなくてもよい。
本実施例では、底板６６を有しているがなくてもよい。
本実施例では、ＡコンテナとＢコンテナとを固定するための止め具４を有しているが、有していなくてもよい。
【実施例３】
【００１２】  図５に示すように、紙類収集ボックス５Ｂは、新聞紙、雑誌、チラシ等をリサイクルボックスから一度も出さずに結束するための紙類収集ボックスであって、
図８に示すように、左右一対の側板８１、８１と、開口部８３を有する後方板８２と、側板８１と後方板８２に垂直で、側板８１と後方板８２に囲まれていて、後方板８２の垂直方向に向かう中央にある貫通している開口部８３を有する紙置き板８４と、紙置き板８４の前端面８１ａと接続しているフォーク状の支持体８５とを有するＡコンテナ８と、Ｂコンテナ７を備えている。Ｂコンテナ７は実施例２のＢコンテナ７と同一である。
Ａコンテナ８の側板８１の前端面８１ａと、Ｂコンテナ７の側板７１の前端面７１ａとが合わさる。
本実施例では、支持体８５を棒状としている。棒状とすることで紙を縛った後で抜き出す際に抜き出しやすく、抜き出した後においては支持体８５と紙との隙間が少なくきつく紙を縛ることが出来る。【００１３】  紙類収集ボックス１の使用方法は、紙類収集ボックス１にストックした紙類９５の上部から紐９を開口部２３ａから、開口部２３ｃに通し上部に持ってくる（図９、図１０参照。）。
上部に持ってきた紐９を紙類の中心で交差し、前端面２１ａに沿って下方向に下ろし支持体２５の下から紙類９５の上部まで持ってくる（図１１、図１２、図１３参照。）。
紙類９５の上部まで持ってきた紐９を紙類９５の中心で縛る（図１４参照。）。
縛った紙類９５を支持体２５の先端方向へ引き抜く。
【符号の説明】
【００１４】１、５Ａ、５Ｂ                      紙類収集ボックス
２、６、８                          Ａコンテナ
３、７                              Ｂコンテナ
４                                  止め具
９                                  紐
２１、３１、６１、７１、８１        側板
２１ａ、３１ａ、６１ａ、７１ａ、８１ａ      前端面
２２、３３、６６、７７、８８        後方板
２３、２３ａ、２３ｂ、２３ｃ、３３、６３、７３、８３      開口部
２４、３４、６４、７４、８４        紙置き板
２５、６５、８５                    支持体
２６、３６、６６、７６、８６        底板
６７、８７                          支持板
９５                                紙類
１００                              床（テーブル等）
【図１】
2019151483.tif 000003
【図２】
2019151483.tif 000004
【図３】
2019151483.tif 000005
【図４】
2019151483.tif 000006
【図５】
2019151483.tif 000007
【図６】
2019151483.tif 000008
【図７】
2019151483.tif 000009
【図８】
2019151483.tif 000010
【図９】
2019151483.tif 000011
【図１０】
2019151483.tif 000012
【図１１】
2019151483.tif 000013
【図１２】
2019151483.tif 000014
【図１３】
2019151483.tif 000015
【図１４】
2019151483.tif 000016
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
左右一対の側板と、開口部を有する後方板と、該側板と該後方板に垂直で、該側板と該後方板に囲まれていて、該後方板の垂直方向に向かう中央にある貫通している開口部を有する紙置き板と、該紙置き板の前端面と接続しているフォーク状の一対の板状片からなる支持体とを有するＡコンテナと、
左右一対の側板と、後方板とからなるＢコンテナを備え、
前記Ａコンテナの前記側板の前端面と、前記Ｂコンテナの前記側板の前端面とが合わさり、
前記Ｂコンテナは、前記側板と前記後方板に垂直で、該側板と該後方板に囲まれていて、前記支持体を挿し込むことのできるＢコンテナ紙置き板とを有し、
前記Ｂコンテナ紙置き板は、前記一対の板状片が噛み合い係合可能な一対の挿着部を有し、前記Ａコンテナの該支持体と、該Ｂコンテナ紙置き板とが噛み合い係合して、平板状に接続形成されることにより紙類を安定して溜めることを特徴とする紙類収集ボックス。
【請求項２】
前記Ａコンテナの紙置き板より下方に前記側板下部の前端面に接続する、側板にまっすぐに延びる支持板を有し、
前記Ｂコンテナに前記支持板が挿し込まれる挿着凹部を有する請求項１に記載の紙類収集ボックス。
【請求項３】
前記紙類収集ボックス全体が前記Ａコンテナ側に傾いており、
前記Ａコンテナの、該側板と、該後方板と、該紙置き板と、該フォーク状の支持体とが、該後方板方向に同角度傾いていて、
前記Ｂコンテナの、該側板と、該後方板と、該紙置き板とが、該Ａコンテナ方向に該Ａコンテナと同角度傾いている請求項１に記載の紙類収集ボックス。
【請求項４】
前記Ｂコンテナの該後方板に開口部を有する請求項１乃至３のいずれかに記載の紙類収集ボックス。
【請求項５】
前記Ａコンテナと前記Ｂコンテナとを、固定するための止め具を有する請求項１乃至４のいずれかに記載の紙類収集ボックス。
【手続補正２】
【補正対象書類名】明細書
【補正対象項目名】０００６
【補正方法】変更
【補正の内容】
【０００６】  請求項１の紙類収集ボックスは、左右一対の側板と、開口部を有する後方板と、該側板と該後方板に垂直で、該側板と該後方板に囲まれていて、該後方板の垂直方向に向かう中央にある貫通している開口部を有する紙置き板と、該紙置き板の前端面と接続しているフォーク状の一対の板状片からなる支持体とを有するＡコンテナと、
左右一対の側板と、後方板とからなるＢコンテナを備え、
前記Ａコンテナの前記側板の前端面と、前記Ｂコンテナの前記側板の前端面とが合わさり、
前記Ｂコンテナは、前記側板と前記後方板に垂直で、該側板と該後方板に囲まれていて、前記支持体を挿し込むことのできるＢコンテナ紙置き板とを有し、
前記Ｂコンテナ紙置き板は、前記一対の板状片が噛み合い係合可能な一対の挿着部を有し、前記Ａコンテナの該支持体と、該Ｂコンテナ紙置き板とが噛み合い係合して、平板状に接続形成されることにより紙類を安定して溜めることを特徴とする紙類収集ボックスである。
また、請求項２の紙類収集ボックスは、請求項１において、前記Ａコンテナの紙置き板より下方に前記側板下部の前端面に接続する、側板にまっすぐに延びる支持板を有し、前記Ｂコンテナに前記支持板が挿し込まれる挿着凹部を有することである。
請求項３の紙類収集ボックスは、請求項１において、前記紙類収集ボックス全体が前記Ａコンテナ側に傾いており、
前記Ａコンテナの、該側板と、該後方板と、該紙置き板と、該フォーク状の支持体とが、該後方板方向に同角度傾いていて、
前記Ｂコンテナの、該側板と、該後方板と、該紙置き板とが、該Ａコンテナ方向に該Ａコンテナと同角度傾いている。
請求項４の紙類収集ボックスは、請求項１乃至３のうちのいずれか１項において、前記Ｂコンテナの該後方板に開口部を有することである。
請求項５の紙類収集ボックスは、請求項１乃至４のうちのいずれか１項において、前記Ａコンテナと前記Ｂコンテナとを、固定するための止め具を有することである。
【手続補正３】
【補正対象書類名】明細書
【補正対象項目名】０００７
【補正方法】変更
【補正の内容】
【０００７】  請求項１の紙類収集ボックスは、雑誌等を集めるリサイクルボックスから紙類を一度も出さずに縦横に結束できる紙類収集ボックスである。また、前記支持体と前記Ｂコンテナ紙置き板があることによって、紙類を安定してボックスに溜めることが出来る。
請求項２の紙類収集ボックスは、前記Ａコンテナの前記紙置き板より下方に前記側板に支持板を接続することによって、倒れないようになる。
請求項３の紙類収集ボックスは、前記Ａコンテナと前記Ｂコンテナが同角度に傾いていることによって、重心が下方向になることによって、紙類がずり落ちなくなる。
請求項４の紙類収集ボックスは、前記Ｂコンテナの前記後方板に開口部があることによって、持ち運びが楽になる。
請求項５の紙類収集ボックスは、前記Ａコンテナと前記Ｂコンテナとを、固定することによって、持ち運ぶときなどにずれないようになる。